(57)【要約】      （修正有）【課題】簡素な構成であっても使用者が管理し易いよう一定の印象を与え得るファイル及びファイルシステムを提供する。【解決手段】クリヤーブックＣＢは、文具製品の中ではファイルとして位置付けられているもので、合成樹脂素材からなる本体たる表紙１と、この表紙１における外方から露出する箇所に取り付けられる前記表紙１と同じ合成樹脂素材からなるものであり、使用者に一定の印象を与え得る印象付与シートたるタグシート２と、表紙１に例えば溶着により固定される透明の袋状をなす複数のクリヤーポケット４とを具備する。【選択図】図１
2014172174.tif 000002
【特許請求の範囲】
【請求項１】
合成樹脂素材からなる本体と、
この本体における外方から露出する箇所に取り付けられる前記本体と同じ合成樹脂素材からなるものであり、使用者に一定の印象を与え得る印象付与シートとを具備することを特徴とする文具製品。
【請求項２】
前記本体が紙葉類を表裏から被覆する表表紙及び裏表紙とこれら表表紙及び裏表紙に介在する背表紙とを有する表紙であり、
前記印象付与シートの裏面側全面が前記背表紙に貼付されている請求項１記載の文具製品。
【請求項３】
前記本体が前記紙葉類を表裏から被覆する表表紙及び裏表紙とこれら表表紙及び裏表紙に介在する背表紙とを有する表紙であり、
前記印象付与シートが前記背表紙を介して前記表表紙及び前記裏表紙に取り付けられている請求項１記載の文具製品。
【請求項４】
前記印象付与シートが可撓性を有するものであり、当該印象付与シートの端部のみが前記表紙に溶着されることにより前記印象付与シートと前記本体との間に別体のラベルを挿入し、当該ラベルを外方から視認し得るようにしたものである請求項１、２又は３記載の文具製品。
【請求項５】
前記印象付与シートが、前記表紙と異なる色を呈することにより使用者に一定の印象を与え得る請求項１、２、３又は４記載の文具製品。
【請求項６】
前記印象付与シートが、使用者に一定の印象を与え得る印刷が前記本体とは異なる色で施された印刷部とを有している請求項１、２、３又は４記載の文具製品。
【請求項７】
請求項１乃至６の何れかに記載の文具製品を複数有してなることを特徴とする文具セット。
【請求項８】
前記複数の文具製品を構成するそれぞれの本体が、同じ形状をなすとともに異なる色を呈している請求項７記載の文具セット。
【請求項９】
前記複数の文具製品を構成するそれぞれの本体が、互いに異なる形状をなすとともに同じ色を呈するものである請求項７記載の文具セット。
【発明の詳細な説明】
【技術分野】
【０００１】
本発明は、紙葉類を綴じたり収容したりして保持しておくためのファイル等をはじめとした、オフィスや家庭において好適に使用される文具製品及び当該文具製品を複数具備してなるファイルシステム等の文具セットに関するものである。
【背景技術】
【０００２】
従来、紙葉類を綴じたり収容したりしておくためのファイルをはじめとした文具製品が種々提案されている(例えば、特許文献１参照)。
【０００３】
かかる文具製品であるファイルは、オフィスにおいてはオフィス全体に統一感を付与するため、或いは記載されている情報等が共通する紙葉類を複数のファイルに分けて保持しておく場合、これら複数のファイル同士での統一感を創出するため、敢えて同じ形状のファイルのみを使用するということが多くなされてきた。
【０００４】
またこのような文具製品はオフィスのみならず、家庭や個人での使用においても、管理する紙葉類の種類が他の紙葉類と明確に識別できるよう、敢えて同じ形状のファイルを複数用意し、紙葉類を管理するということが行われてきた。
【０００５】
上記の目的を好適に実現し得る文具製品としては、特許文献１に記載のファイルを挙げることができる。かかるファイルは、複数のファイルを本棚等に陳列した際に背表紙側に露出する見出しポケットの中に別体の見出し紙等を挿入するものである。そしてこの見出し紙の色や見出し紙に記載した内容により、隣接する位置にある他のファイルよりも明確に違うと使用者に思わせるに足るように視認性を高める、換言すれば見た目を際だたせて目立たせることができるものである。
【０００６】
ところで、近時のオフィスにおいては、複数の文具製品をオフィスのメンバ全員が共有するという用途に対し、オフィスを構成する各メンバが独自に管理するファイル等の文具製品の割合が増えている現状がある。また家庭での使用においても、多種多様なデザインが施された文具製品が市販されているなか、個々人の管理する文具製品に統一感を持たせることで他人のそれよりも自身が識別、整理し易いよう管理したり、自身にとっての差別化が図られてきている。換言すれば、オフィスであれ家庭であれ、各個人が管理する文具製品を選択する自由度も従来に比べて格段に向上しているなか、文具製品を管理する使用者の趣向に沿うように、単一の文具製品であれば使用者に対し目立たせる印象を与えることにより使用者自らのものであるということを惹起し得るような文具製品が求められているのが現状である。特にこれら何らかの際立たせる印象を使用者に与え得る複数の文具製品を、同じ印象を与え得る文具セットとして構成することが求められている。
【０００７】
他方、かかる文具製品を製造する側の観点から言えば、上記のように識別し易く管理が行い易い文具製品を簡素な構成にて実現することにより、導入コストも抑えながら、使用者が文具製品を整理整頓した場合の見栄えを向上させることが要求されている。すなわち、ただ識別を行い易い文具製品を製造するのであれば、種々な形状に成型し得る金型を準備したり、多くの部品を組み付けたりする等により文具製品を製造すれば、容易に製造することができる。しかしながら上記の金型作成や部品の組み付けの工程が追加されれば、製造する効率が低下するという不具合が招来する。また個々人がそれぞれ複数の文具製品を同時に管理すべく複数の文具製品を導入する場合、上記の金型作成や部品の組み付けに係る工程は直接的に製造コストに反映されてしまう。つまり、個々人が整理を行い易くすべく複数の文具製品を導入する場合、導入の行い易さにも注目しなければならないのが現状である。
【先行技術文献】
【特許文献】
【０００８】
【特許文献１】特開２０１２−２３２４５１号公報
【発明の概要】
【発明が解決しようとする課題】
【０００９】
本発明は、上述したような要望に応えるべくなされたものであり、簡素な構成であっても使用者に一定の印象を与え得る文具製品を提供することを目的としている。
【課題を解決するための手段】
【００１０】
本発明は、このような目的を達成するために、次のような手段を講じたものである。
【００１１】
すなわち本発明に係る文具製品は合成樹脂素材からなる紙葉類を保持し得る本体と、本体における外方から露出する箇所に取り付けられる前記表紙と同じ合成樹脂素材からなるものであり、使用者に一定の印象を与え得る印象付与シートとを具備することを特徴とする。
【００１２】
このようなものであれば、印象付与シートが本体に取り付けられることにより、文具製品自体が使用者にとって視認性を向上させるための何らかの印象を与えることが可能となる。また印象付与シートは本体と同じ素材である合成樹脂素材からなるものであるため、本体への取り付けは格別の接着剤を用いない溶着によっても可能であり、文具製品を生産するための資材の点数や組み立て工程の削減にも資する。その結果、本発明に係る文具製品は生産に際しても高い効率で行うことができる。そして高い効率での製造はそのまま製造コストの抑制にも繋がる。その結果、個々人が複数同時に導入することを行い易い文具製品が実現される。加えて廃棄の際にも本体と印象付与シートとを分別する手間も省くことができる。
【００１３】
印象付与シートを本体に取り付ける具体的な態様としては、前記本体が前記紙葉類を表裏から被覆する表表紙及び裏表紙とこれら表表紙及び裏表紙に介在する背表紙とを有するファイルの表紙に対しては、前記印象付与シートの裏面側全面を前記背表紙に貼付してファイルを構成する態様を挙げることができる。
【００１４】
また上記同様のファイルの表紙に対して印象付与シートを取り付ける他の態様としては、前記印象付与シートが前記背表紙を介して前記表表紙及び前記裏表紙に取り付け、背表紙からの視認性を有効に保持し得るようにしてファイルを構成しても良い。また斯かる場合、前記印象付与シートが可撓性を有するものとし、当該印象付与シートの端部のみが前記表紙に溶着することにより前記印象付与シートと前記表紙との間に別体のラベルを挿入し得るものとして、当該ラベルを外方から視認し得るようにする態様が好ましい。この場合、当該印象付与シートを透かした状態で前記ラベルを視認し得る態様としても、前記印象付与シートに設けた開口等により前記ラベルを視認し得る態様としても良い。
【００１５】
また本体に取り付けられた印象付与シートが使用者に一定の印象を与え得る態様の一つとして、前記印象付与シートが、前記本体と異なる色を呈することにより使用者に一定の印象を与え得る態様を挙げることができる。
【００１６】
この場合の「色」とは、必ずしも不透明となるまで着色されている概念に限定されることはなく、半透明や透光性を有し向こう側のものがある程度視認し得る態様をも含まれる。
【００１７】
また本体に取り付けられた印象付与シートが使用者に一定の印象を与え得る他の態様として、前記印象付与シートが、使用者に一定の印象を与え得る印刷が前記本体とは異なる色で施された印刷部とを有している態様を挙げることができる。この場合、前記印象付与シートは前記本体と同じ色を呈しているシート本体を有していても、透明をなすシート本体を有していても、使用者に一定の印象を与え得る。
【００１８】
ここで、「同じ色」とは、全く同じ色を呈する態様のみならず、外観上同じ色と視認される不透明のものと半透明のものや、透光性の異なる複数のものをも含む概念である。
【００１９】
そして、本発明に係る文具セットは、上述した文具製品を複数有してなることを特徴としている。
【００２０】
このような文具セットであれば印象付与シートによって与えられた一定の印象により使用者は複数の文具製品に対し統一感を覚えながら管理することができる。その結果、オフィスにおいて個々の使用者が好適に文具製品を保持、管理することが実現される。
【００２１】
そして、使用者が統一感を覚え得る具体的な文具セットの態様としては、前記複数の文具を構成するそれぞれの本体が、同じ形状をなすとともに異なる色を呈している態様を挙げることができる。
【００２２】
また使用者が統一感を覚え得る具体的な文具セットの他の態様としては、前記複数の文具セットを構成するそれぞれの本体が、互いに異なる形状をなすようにしたものであっても、同じ色を呈するようにしたものを挙げることができる。
【発明の効果】
【００２３】
本発明によれば、簡素な構成であっても使用者が紙葉類を管理し易いよう視認性を向上させて一定の印象を与え得る文具製品及び文具セットを提供することができる。
【図面の簡単な説明】
【００２４】
【図１】本発明の第一実施形態に係る外観図。
【図２】同実施形態に係る構成説明図。
【図３】同実施形態に係る他の構成説明図。
【図４】同実施形態に係る要部の一部構成を省略した模式的な端面図。
【図５】同実施形態に係る他の外観図。
【図６】同上。
【図７】同上。
【図８】本発明の第二実施形態に係る外観図。
【図９】同実施形態に係る構成説明図。
【図１０】同実施形態の第一変形例に係る構成説明図。
【図１１】同実施形態に係る要部の一部構成を省略した模式的な端面図。
【図１２】同実施形態の変形例に係る外観図。
【発明を実施するための形態】
【００２５】
＜第一実施形態＞
以下、本発明の第一実施の形態について図面を参照して説明する。なお本願の図面では都合上濃淡によってのみ表現される色ａ、ｂ、ｃ及びｄは、実際には無彩色の他、原色やその他の有彩色をも含まれるものとする。
【００２６】
図１に示す本実施形態に係る文具製品たるクリヤーブックＣＢは、同形状をなし異なる色を呈している本体たる表紙１を有する同形状をなす他のクリヤーブックＣＢとともに文具セットの一つの態様であるファイルシステムＦＳを構成しているものである。
【００２７】
クリヤーブックＣＢは、文具製品の中ではファイルとして位置付けられているもので、図１及び図２に示すように、合成樹脂素材からなる本体たる表紙１と、この表紙１における外方から露出する箇所に取り付けられる前記表紙１と同じ合成樹脂素材からなるものであり、使用者に一定の印象を与え得る印象付与シートたるタグシート２と、表紙１に例えば溶着により固定される透明の袋状をなす複数のクリヤーポケット４とを具備する。そしてかかる複数のクリヤーポケット４に適宜紙葉類を挿入することにより、表紙１に紙葉類を間接的に保持させ得る。このクリヤーポケット４は既存の種々の物を適用し得るため、本実施形態では具体的な説明を省略する。
【００２８】
表紙１は、図１及び図２に示すように、本実施形態ではポリプロピレン製のシート材をプレスすることにより形成されたものであり、２本のヒンジを形成して当該シート材を区成することにより表表紙１１、裏表紙１２及び背表紙１３が形成されている。具体的には、表表紙１１及び裏表紙１２はクリヤーポケット４を表裏から被覆し得る。背表紙１３は、その裏面側においてクリヤーポケット４の基端部を例えば溶着等により取り付けている。
【００２９】
しかして本実施形態では、上記背表紙１３に印象付与シートたるタグシート２を取り付けている。具体的には、前記タグシート２の裏面２ｒ側全面が前記背表紙１３に貼付されている。
【００３０】
タグシート２は、前記表紙１と同じくポリプロピレンからなるもので、前記背表紙１３の上下方向略中央において溶着部３により溶着されている。具体的には、このタグシート２は、両端を半円状に成形した短冊形をなすように、前記表紙１と略同じ厚みを有する白色の樹脂シートを型抜きし、この型抜きした白色板に、前記表紙１と同じ色ａにより、所謂白抜き印刷を施したものである。かかる白抜き印刷を施すことにより本実施形態に係るタグシート２は、色ａによる地模様を構成するシート本体２１と、タグシート２中央において特定の文字又は記号が施されたタイトル印刷部２２と、タグシート２の周囲において色ａを塗布せずに縁部を白色で際だたせた縁取り部２３と、タイトル印刷部２２に隣接し当該タイトル印刷部２２よりも小さい文字又は記号が施されたサブ印刷部２４とを有するものとなっている。このようにタイトル印刷部２２、縁取り部２３及びサブ印刷部２４といった使用者に一定の印象を与え得る印刷が施された印刷部の存在により、タグシート２自体が使用者に一定の印象を与え得るものとなっている。
【００３１】
しかして上述してなる本実施形態に係る文具製品は上記のクリヤーブックＣＢに限られない。すなわち図３に示すようなリングファイルＲＦとしても良い。このリングファイルＲＦは、上記図２に係るクリヤーポケット４の代わりに背表紙１３に綴じ具５を取り付けて、予め綴じ穴が形成された紙葉類を直接綴じたり、図示しないクリヤーブック替紙を所要の枚数綴じることで、リングファイルＲＦ単独として紙葉類を好適に管理したり、替紙式クリヤーブックを構成したりできるものである。綴じ具５は、用紙やクリヤーポケット４を綴じる構成を有しているものであれば適宜のものを採用することができるが、本実施形態では、背表紙１３と略同じ乃至若干小さい幅寸法及び長手寸法を有する板状のベース部に、その長手方向に沿って複数（例えば２０等）の開閉可能なリングを略等間隔で配置した一般的なものを適用している。そして前記ベース部の長手方向両端部及び中央部に貫通孔を形成し、この貫通孔にリベットを用いて背表紙１３に固定するようにしている。
【００３２】
そして図４に示すように、これら図１乃至３に示す表紙１では、背表紙１３の所定箇所で、タグシート２の裏面２ｒ全面が超音波溶着により強固に溶着されている。これにより、当該タグシート２は長期の使用に際しても表紙１から離脱してしまうことはない。
【００３３】
そして本実施形態に係る文具製品たるクリヤーブックＣＢは図１に示すように、同じ形状をなし且つａ、ｂ、ｃ、ｄといったそれぞれ白以外の異なる色を呈する４つの表紙１に対し、同じ形状、同じ色を呈する共通のタグシート２（ａ）を取り付けることによって、文具セットたるファイルシステムＦＳを構成している。このファイルシステムＦＳにおいては、タグシート２に一定の印象を付与している印刷部、すなわちタイトル印刷部２２、縁取り部２３及びサブ印刷部２４の白色を共通させることで、一体感が創出されている。また勿論、図３に示すリングファイルＲＦについても表紙１の色を異ならせて複数構成し、これら複数の表紙１に共通の色を呈するタグシート２を取り付ければ、上記同様にファイルシステムＦＳを構成し得る。
【００３４】
また図５に示すように、本体をケース体１０とし、上記同様のタグシート２を用いることにより、複数のケースファイルＣＦからなるファイルシステムＦＳを構成することも可能である。
【００３５】
ケースファイルＣＦは上記の表紙１と同じ素材であるポリプロピレン製のシートをプレスした後、適宜折り曲げ溶着して箱状に形成されたケース体１０と、タグシート２と、ケース体１０に取り付けられたバックル６及び把手７とを有してなる。かかるケースファイルＣＦのタグシート２以外の具体的な構造については既存の種々の構成を適用し得るため省略している。
【００３６】
そして同図に示すファイルシステムＦＳは、それぞれｂ、ｃ、ｄの色を呈するケース体１０に対し、ａの色を呈する共通のタグシート２を上記図４同様に超音波溶着により一体的に取り付けたものである。
【００３７】
そして上述したように、本実施形態に係る文具製品の本体としてはクリヤーブックＣＢ及びリングファイルＲＦの表紙１、そしてケースファイルＣＦのケース体１０を開示した。これら互いに形状が異なる複数の本体から、本実施形態に係る文具セットたるファイルシステムＦＳを構成することが可能である。
【００３８】
すなわち図６に示すように、前記複数の文具製品たるファイルシステムＦＳを構成するそれぞれの本体が、互いに異なる形状であるクリヤーブックＣＢの表紙１、リングファイルＲＦの表紙１及びケース体１０となるとともにこれら表紙１、ケース体１０が同じ色、同図では一例としてｄの色を呈している。またこれら表紙１及びケース体１０には同じ形状をなすとともに同じ色であるａの色が施されたタグシート２が取り付けられている。
【００３９】
このようなものであっても、文具製品であるクリヤーブックＣＢ、リングファイルＲＦ及びケースファイルＣＦが使用者に一定の印象を与えつつ、与えられた印象により統一感が創出されたファイルシステムＦＳが好適に構成される。
【００４０】
さらに図７に示すように、取付対象と同じ色を呈するタグシート２を用い、ファイルシステムＦＳを構成しても良い。すなわち同図に示すように、表紙１の色をそれぞれａ、ｂ、ｃ、ｄというように異なる色彩とし、タグシート２の色もこれら表紙１の色に一致させるようにしても良い。この場合、個々のクリヤーブックＣＢはタグシート２に設けられた印刷部たる、上記ａ、ｂ、ｃ、ｄとは異なる白色を呈したタイトル印刷部２２、縁取り部２３及びサブ印刷部２４によって一定の印象が与えられ、かかる一定の印象により、ファイルシステムＦＳとしての統一感も獲得している。
【００４１】
以上のような構成とすることにより、本実施形態に係る文具製品たるクリヤーブックＣＢ、リングファイルＲＦ及びケースファイルＣＦは、タグシート２が表紙１に取り付けられることにより、クリヤーブックＣＢ、リングファイルＲＦ及びケースファイルＣＦ自体が使用者にとって一定の印象を与えることが可能となる。またタグシート２は表紙１と同じ素材である合成樹脂素材からなるものであるため、表紙１への取り付けは格別の接着剤を用いない溶着によって行なうことができ、クリヤーブックＣＢ、リングファイルＲＦ及びケースファイルＣＦを生産するための資材の点数の削減にも資する。加えて廃棄の際にも表紙１とタグシート２とを分別する手間も省くことができる。本実施形態では、このような一定の厚みを有するタグシート２を表紙１に貼付することにより、単に表紙１に印刷によりタイトル等を印字するような他の文具製品に比べて特別な金型を用いた樹脂成形品の如き立体感を創出することができ、使用者の趣向に沿う高級感も演出している。また前記立体感は、プレスにより切り抜かれたシート状の樹脂素材を重ねることによって創出されたものであるため、金型成型による部品を用いずとも前記高級感が演出されている。すなわち金型成型等によるコストの発生を回避しながらも本実施形態の文具製品たるクリヤーブックＣＢ、リングファイルＲＦ及びケースファイルＣＦは独自の立体感がかもし出されている。その結果、製造コストすなわち使用者にとっての導入コストは有効に抑えられつつ、使用者にとって識別性が高く、その結果確認や検索を容易に行うことができるものとなっている。
【００４２】
また本実施形態では前記表紙１及び前記タグシート２をポリプロピレンからなるものとし、他の接着剤等を用いない熱溶着による効率的且つ省力的な生産を実現している。
【００４３】
そして本実施形態では、前記タグシート２の裏面２ｒ側全面を前記背表紙１３に貼付して、強固な取り付けを実現している。
【００４４】
また本体に取り付けられたタグシート２が使用者に一定の印象を与え得る他の態様として、前記タグシート２が、使用者に一定の印象を与え得る印刷が前記本体とは異なる色で施された印刷部とを有している態様を挙げることができる。この場合、前記タグシート２は前記本体と同じ色を呈しているシート本体２１を有していても、透明をなすシート本体２１を有していても、使用者に一定の印象を与え得る。
【００４５】
そして、このようなクリヤーブックＣＢ、リングファイルＲＦやケースファイルＣＦといった文具製品を複数有してなる本実施形態に係るファイルシステムＦＳは、前記タグシート２によって与えられた一定の印象により使用者は複数の文具製品に対し統一感を覚えながら管理することができる。その結果、オフィスにおいて個々の使用者が好適に複数の文具製品を管理、使用することが実現される。
【００４６】
そして、本実施形態ではファイルシステムＦＳでは、前記複数の文具製品を構成するそれぞれの本体たる表紙１が、図１、図５及び図７の如く同じ形状をなすとともに異なる色を呈しているものとしつつ、タグシート２により統一感を創出することを実現している。
【００４７】
また図６に示すように本実施形態ではタグシート２を取り付ける態様である本体が互いに形状が異なるものであっても、同じ色を呈するようにしたこと、加えて本実施形態では異なる色を呈する共通のタグシート２を取り付けて、個々の文具製品には一定の印象を付与しつつ、ファイルシステムＦＳとしての統一感を担保している。
【００４８】
＜第二実施形態＞
以下に、本発明の第二実施形態について図８〜図１２を参照して詳述する。本実施形態において、上記実施形態の構成要素に相当するものに関しては同じ符号を付すとともに、その詳細な説明を省略する。上記第一実施形態では印象付与シートとしてのタグシート２を開示したが勿論、本発明に係る印象付与シートとは当該タグシート２に限定されるものではない。
【００４９】
すなわち本実施形態では、上記実施形態と同じ形状をなす本体たる表紙１やケース体１０に対し、可撓性を有するまでに薄肉に形成されたポリプロピレン素材からなるポケットシート２０を適用した態様を示している。
【００５０】
ポケットシート２０は、図８及び図９に示すように、表紙１に対し、前記背表紙１３を介して前記表表紙１１及び前記裏表紙１２に取り付けられている。またこのポケットシート２０は、可撓性且つ透光性を有することにより向こう側が透けて見えるように構成されたポリプロピレンフィルムに適宜印刷を施すことによって構成されている。すなわちポケットシート２０は透光性或いは透明であるシート本体２１と、上記実施形態と略同様のタイトル印刷部２２、サブ印刷部２４に加え、バーコード印刷部２５を有している。具体的に説明すると、シート本体２１は、同図では表紙１と同じ色を有するようにしている。またタイトル印刷部２２及びサブ印刷部２４は、表紙１とは異なる色か或いは同じ色により印刷されるとともに、一部の文字が、表紙１の何れの色ａ、ｂ、ｃ、ｄとも異なる白色にて表示されている。そしてバーコード印刷部２５は、読み取りが正確になされるよう、白地に黒の印刷が施されることにより形成されている。
【００５１】
図８及び図９に示すクリヤーブックＣＢは、ポケットシート２０がそれぞれ表紙１と同じ色を呈するようにしている一方、タイトル印刷部２２及びサブ印刷部２４において何れの表紙１とも異なる白色の印刷が施されることにより各クリヤーブックＣＢが使用者に一定の印象を与え得るようになっている。また白色の印刷により、各クリヤーブックＣＢに統一感が形成され、上記実施形態同様、ファイルシステムＦＳを好適に構成している。
【００５２】
また図１０は、図８及び図９に示したものとは異なり、シート本体２１を透明（ｓｋ）とした態様を示している。このようなものであっても、上記同様の印刷部すなわちタイトル印刷部２２、サブ印刷部２４及びバーコード印刷部２５を同様に形成することで、ポケットシート２０が使用者に一定の印象を与え得るものとなっている。
【００５３】
そして図１１に示すように、図８〜図１０に示すクリヤーブックＣＢを構成するポケットシート２０は、その端部２０ｅのみが前記表紙１やケース体１０に溶着され概略Ｌ字形の溶着部３が形成されることによりポケットシート２０と前記表紙１との間に別体の図示しないラベルを挿入し得るポケットＰが形成され、当該ラベルを外方からポケットシート２０を透かして視認し得るようにしたものである。そしてこのポケットシート２０の端部２０ｅにおいては、表紙１に対し概略Ｌ字形状に溶着部３が形成されることにより、棚等に隙間無く並べられたクリヤーブックＣＢを取り出す際にも隣接する他のクリヤーブックＣＢや他のファイルにポケットシート２０が引っかかってしまうという不具合を有効に回避している。また勿論ポケットシート２０は上述の如く透光性を有するものや半透明、或いは透明（ｓｋ）である必要はなく、別途開口を形成する等によりラベルを視認し得るようにしても良いことは言うまでもない。
【００５４】
また、本実施形態に係る印象付与シートたるポケットシート２０は上記の如く印刷が施されたものに限られない。
【００５５】
本実施形態の変形例に係る文具製品たるクリヤーブックＣＢ、リングファイルＲＦ及びケースファイルＣＦ及び文具セットたるファイルシステムＦＳを図１２に示す。同図に示すポケットシート２０は、本体たる表紙１やケース体１０の色ｄとは異なる色であるｃの色を呈する半透明のシート本体２１からなるものである。このようなものであっても、上記第二実施形態同様のポケットＰを形成し得る。なおこのシート本体２１は例えば名刺サイズよりも若干大きめに形成されることにより、名刺や名札等を好適に挿入、表示し得るポケットＰが形成されている。また同図におけるポケットシート２０は、クリヤーブックＣＢ及びリングファイルＲＦを構成する表紙１に対しては背表紙１３ではなく、また背表紙１３をまたぐ位置でもなく、表表紙１１に位置付けられている。このようなものであっても、表紙１やケース体１０に対する色の違いのみで使用者に一定の印象を与えるものとすることができる。そしてかかる一定の印象を本体の形状が表紙１とケース体１０とで異なっても共通させて一体感を演出し、ファイルシステムＦＳを好適に実現している。
【００５６】
以上のように、本発明の第二実施形態に係るクリヤーブックＣＢ、リングファイルＲＦ及びケースファイルＣＦは、ポケットシート２０と表紙１との間に別体のラベルを挿入し得るものとして、ポケットシート２０による一定の印象の付与のみならず、使用者が所望のラベルを挿入し、ポケットシート２０を設けた箇所が与え得る印象を更に強いものとすることができる。
【００５７】
以上、本発明の実施形態について説明したが、各部の具体的な構成は、上述した実施形態のみに限定されるものではなく、本発明の趣旨を逸脱しない範囲で種々変形が可能である。
【００５８】
例えば、上記実施形態では文具製品の例として専らファイルを開示した態様を開示したが勿論、他の文具製品と同じ素材で構成し得る本体を有するものであれば例えばペンケースやペン立て、定規といった種々の文具製品に本発明を適用してもよい。加えて上記実施形態ではタグシートに縁取りを施すことにより目立たせる態様を開示していたが勿論、縁取りを行わすとも、表紙に対して対照的な色彩を有するタグシートを用いることで一定の印象を与え得るようにしても良い。つまり濃い色すなわち明度の低い色を有した表紙に対し白色に代表されるような明度の高いタグシートを適用したり、その逆の組み合わせを適用することによっても一定の印象が与えられ、しかもタグシート自体の厚みも相まってより使用者に印象づけられることにより、識別性が高く、検索や確認を行い易い文具製品が実現される。また上記実施形態では対をなすヒンジによって背表紙が形成されたクリヤーブックやリングファイルの表紙を本体とした態様を開示したが勿論、ヒンジを３つ以上形成することにより背幅が可変となるファイルの表紙を本発明の本体として適用しても良い。さらに、印象付与シートにおける印刷部の具体的な内容やサイズといった具体的な態様は上記実施形態のものに限定されることはなく、既存のものを含め、種々の態様のものを適用することができる。
【００５９】
その他、各部の具体的構成についても上記実施形態に限られるものではなく、本発明の趣旨を逸脱しない範囲で種々変形が可能である。
【産業上の利用可能性】
【００６０】
本発明は紙葉類を綴じたり収容したりして保持しておくための文具製品及び当該文具製品を複数具備してなる文具セットとして利用することができる。
【符号の説明】
【００６１】
１…本体（表紙）
１１…表表紙
１２…裏表紙
１３…背表紙
２…印象付与シート（タグシート）
２ｒ…裏面
２０…印象付与シート（ポケットシート）
２０ｅ…端部
２１…シート本体
２１（ｓｋ）…透明をなすシート本体（シート本体）
２２…印刷部（タイトル印刷部）
２４…印刷部（サブ印刷部）
３…溶着部
ＣＦ…文具製品（クリヤーブック）
ＲＦ…文具製品（リングファイル）
ＢＦ…文具製品（ケースファイル）
ＦＳ…文具セット（ファイルシステム）
【図１】
2014172174.tif 000003
【図２】
2014172174.tif 000004
【図３】
2014172174.tif 000005
【図４】
2014172174.tif 000006
【図５】
2014172174.tif 000007
【図６】
2014172174.tif 000008
【図７】
2014172174.tif 000009
【図８】
2014172174.tif 000010
【図９】
2014172174.tif 000011
【図１０】
2014172174.tif 000012
【図１１】
2014172174.tif 000013
【図１２】
2014172174.tif 000014